(57)【要約】【課題】物品に添付されたＩＣタグ内に格納された物理情報に基づいて適切な物品管理を行う。【解決手段】物品１にＩＣタグ１０１と共に添付された検知材の示す色を測定する手段３で測定された色を第１物理情報に変換する。次に、前記ＩＣタグ１０１の内部に予め備えられた記録領域に対し、該第１物理情報をＩＣタグアクセス手段２を用いて記録する。そして、ＩＣタグ１０１から読み出した第２物理情報と前記第１物理情報を比較できるように表示する。【選択図】図１
2008156097.tif 000002
【特許請求の範囲】
【請求項１】
物品を識別するＩＤ情報を内部に記録したＩＣタグを有し、
前記ＩＣタグの内部の情報にアクセスするＩＣタグアクセス手段を備え、
該ＩＣタグと検知材が添付された物品の物理変化を管理する物品管理システムであって、
前記検知材の示す色を測定する手段と、
該検知材の示す色を第１物理情報に変換する手段と、
前記ＩＣタグの内部に予め備えられた記録領域に対し、該第１物理情報を前記ＩＣタグアクセス手段を用いて記録する物理情報記録手段と、
ＩＣタグから読み出した第２物理情報と前記第１物理情報を比較できるように表示する比較表示手段と、
を備えることを特徴とする物品管理システム。
【請求項２】
請求項１に記載の物品管理システムにおいて、
前記色を測定した際の第１測定時刻情報を、時刻管理手段から取得する時刻取得手段、
を備え、
前記物理情報記録手段が、前記ＩＣタグの内部に存在する記録領域に対し、前記第１物理情報と前記第１測定時刻情報の組み合わせを記録し、
前記比較表示手段が、ＩＣタグから読み出した第２物理情報及び第２測定時刻情報の組み合わせと前記第１物理情報及び第１測定時刻情報の組み合わせを比較できるように表示する、
ことを特徴とする物品管理システム。
【請求項３】
請求項１に記載の物品管理システムにおいて、
前記色を測定した際の第１測定時刻情報を、時刻管理手段から取得する時刻取得手段と、
前記色を測定した際の第１測定場所情報を、場所管理手段から取得する場所取得手段と、
を備え、
前記物理情報記録手段が、前記ＩＣタグの内部に存在する記録領域に対し、前記第１物理情報と第１測定時刻情報と第１測定場所情報との組み合わせを記録し、
前記比較表示手段が、ＩＣタグから読み出した第２物理情報，第２測定時刻情報，第２測定場所情報の組み合わせと前記第１物理情報，第１測定時刻情報，第１測定場所情報の組み合わせを比較できるように表示する、
ことを特徴とする物品管理システム。
【請求項４】
請求項１乃至３のいずれかに記載の物品管理システムにおいて、
前記検知材が、
前記物品に対して定められた物理管理条件から逸脱した場合に、色の変化を示し、該色の変化が不可逆である、
ことを特徴とする物品管理システム。
【請求項５】
請求項１乃至４のいずれかに記載の物品管理システムにおいて、
前記ＩＣタグと前記検知材とが一体に形成されている、
ことを特徴とする物品管理システム。
【請求項６】
物品を識別するＩＤ情報を内部に記録したＩＣタグを有し、
前記ＩＣタグの内部の情報にアクセスするＩＣタグアクセス手段と、
前記検知材の示す色を測定する測定手段と、を備え、
該ＩＣタグと検知材が添付された物品の物理変化を管理するシステム
に使用する物品管理方法であって、
前記測定手段を用いて前記検知材の示す色を測定するステップと、
該検知材の示す色を第１物理情報に変換するステップと、
前記ＩＣタグの内部に予め備えられた記録領域に対し、該第１物理情報を前記ＩＣタグアクセス手段を用いて記録する物理情報記録ステップと、
ＩＣタグから読み出した第２物理情報と前記第１物理情報を比較できるように表示する比較表示ステップと、
を有することを特徴とする物品管理方法。
【請求項７】
請求項６に記載の物品管理方法において、
前記色を測定した際の第１測定時刻情報を時刻管理手段から取得する時刻取得ステップ、
を有し、
前記物理情報記録ステップが、前記ＩＣタグの内部に存在する記録領域に対し、前記第１物理情報と前記第１測定時刻情報との組み合わせを記録し、
前記比較表示ステップが、ＩＣタグから読み出した第２物理情報及び第２測定時刻情報の組み合わせと前記第１物理情報及び第１測定時刻情報の組み合わせを比較できるように表示する、
ことを特徴とする物品管理方法。
【請求項８】
請求項６に記載の物品管理方法において、
前記色を測定した際の第１測定時刻情報を時刻管理手段から取得する時刻取得ステップと、
前記色を測定した際の第１測定場所情報を場所管理手段から取得する場所取得ステップと、
を有し、
前記物理情報記録ステップが、前記ＩＣタグの内部に存在する記録領域に対し、前記第１物理情報と前記第１測定時刻情報と前記第１測定場所情報との組み合わせを記録し、
前記比較表示手ステップが、ＩＣタグから読み出した第２物理情報，第２測定時刻情報，第２測定場所情報の組み合わせと前記第１物理情報，第１測定時刻情報，第１測定場所情報の組み合わせを比較できるように表示する、
ことを特徴とする物品管理方法。
【請求項９】
請求項６乃至８のいずれかに記載の物品管理方法において、
前記検知材に、前記物品に対して定められた物理管理条件から逸脱した場合に、色の変化を示し、該色の変化が不可逆である検知材を採用する、
ことを特徴とする物品管理方法。
【請求項１０】
請求項６乃至９のいずれかに記載の物品管理方法において、
前記ＩＣタグと前記検知材とを一体に形成したタグを添付した物品を管理対象とする、
ことを特徴とする物品管理方法。
【発明の詳細な説明】
【技術分野】
【０００１】
本発明は、ＩＣ（Ｉｎｔｅｇｒａｔｅｄ  Ｃｉｒｃｕｉｔ）タグを用いた物品管理システム及び物品管理方法に関するものである。
【背景技術】
【０００２】
近年、流通における上流から下流までの過程にわたって物品管理（例えば、サプライチェーンマネジメント）を行うシステムとして、ＩＣタグを用いた物品管理システムが、数々提案または実現されている。さらに、このような物品管理システムには、物品に関する温度管理を行うシステムも提案されている。温度管理システムの一例（例えば、特許文献１参照）を以下に説明する。
【０００３】
輸送される監視（あるいは管理）対象物は、対象物ＩＤ（Ｉｄｅｎｔｉｆｉｅｒ）情報を有する無線装置と共に輸送される。次に、その監視対象物に関する温度を含む輸送状態情報が、所定の測定手段によって測定される。その後に、輸送経路上にあって受信手段を有する情報収集装置に対して前記無線装置によって送信される。
【０００４】
前記無線装置は、具体的には、温度センサ等の輸送状態情報測定手段を搭載する無線アクティブタグにより実現される。このようなセンサ搭載アクティブタグは、自ら電波を発する無線装置であるために電池を搭載し、かつ、輸送状態情報を無線送信する前に自らに該輸送状態情報を随時記録しておく追記可能な電子的な記録媒体を搭載するものである。それ故、センサ搭載アクティブタグは、一般に高価であり、かつ、ある程度の物理的大きさを有する。
【０００５】
以上のように、センサ搭載アクティブタグを使用して監視を行う条件は、次の通りである。まず、監視対象物である物品自体が、センサ搭載アクティブタグを付すに足るほどの価値があり、かつ、大きさが十分であること。あるいは、監視対象物の集合体（例えば、監視対象物が多数収められた箱単位，輸送パレット単位，輸送コンテナ単位）がセンサ搭載アクティブタグを付すほどの価値があり、かつ、大きさが十分であること。
【０００６】
また、センサ搭載アクティブタグは電池を搭載するため、ある時点で、電池交換しなければならないという問題があった。さらに、センサ搭載アクティブタグは一般に高価であるために、輸送過程の最終段階で回収して使いまわす手立てを講じる必要があった。
【特許文献１】特願２００６−７６６８７号公報（段落［００２４］〜［００２５］等）。
【発明の開示】
【発明が解決しようとする課題】
【０００７】
上述のような物品に関する温度管理システムでは、物品の温度情報（例えば、電子温度計から得られる温度情報）を電子的に記録する記録媒体を該物品に添付する必要がある。そのため、前記記録媒体の機能を前記物品に添付されたＩＣタグの記録部において実現する場合、該ＩＣタグの記録部は、温度情報を記録するために、追記可能でなければならない。さらに、ＩＣタグの記録部は、前記物品のＩＤ情報（即ち、物品を識別する識別子を含む情報）のみを格納する場合に比して大きな容量を備えざるを得ない。
【０００８】
以上のように、ＩＤ情報のみを格納するＩＣタグに比して高価なＩＣタグを使用せざるを得ず、ＩＣタグを付すべき対象の数に比例した数の高価なＩＣタグを使用するため、結果的に、安価な温度管理システムを提供できない。
【０００９】
また、高価なＩＣタグを輸送過程の最終段階で回収して使いまわす手立てを講じる場合でも、その手立てのためにコストと手間を必要とするため、結果的に、安価な温度管理システムを提供できない。
【００１０】
上述のようなシステムの他にも、物品を識別するＩＤ情報を記録したＩＣタグから該ＩＤ情報を読み取るＩＣタグリーダを備え、該ＩＣタグと温度などの物理状態を検知する検知材が添付された物品の物理変化（例えば、温度変化）を管理する物品管理システムを想定できる。
【００１１】
例えば、前記物品管理システムは、次のような動作を行う。まず、検知材の示す色を測定し、その検知材（例えば、示温材）の示す色を物理情報（例えば、温度情報）に変換する。そして、その物理情報とＩＣタグリーダによって読み取られたＩＤ情報を関連付けてＩＤ物理データを形成し、前記ＩＣタグの外部に存在する物理データ管理手段（例えば、データベース）に対し該ＩＤ物理データを記録する。
【００１２】
上述の該ＩＣタグと検知材が添付された物品の物理変化を管理する物品管理システムでは、ＩＣタグの外部に存在する物理データ管理手段に対し物品の管理状態を示すＩＤ物理データを上述の物理データ管理手段に記録する手段を有している。
【００１３】
上述の物理データ管理手段がＩＣタグの外部に存在するため、もし、ＩＣタグと物理データ管理手段の間の連絡が絶たれた場合、ＩＤ物理データを記録することができず、前回測定時における物品の管理状態と今回測定時における物品の管理状態との比較に基づいて物品管理することができない。
【００１４】
例えば、今回測定時における物品の管理状態が、前回測定時における物品の管理状態に比して大きく乖離した事象が生じても、該事象を知ることが出来ず、適切な物品管理ができない。
【００１５】
本発明は、前記課題に基づいてなされたものであって、物品に添付されたＩＣタグ内に格納された物理情報に基づいて適切な物品管理を行う物品管理システム及び物品管理方法を提供することにある。
【課題を解決するための手段】
【００１６】
前記課題の解決を図るために、請求項１記載の発明は、物品を識別するＩＤ情報を内部に記録したＩＣタグを有し、前記ＩＣタグの内部の情報にアクセスするＩＣタグアクセス手段を備え、該ＩＣタグと検知材が添付された物品の物理変化を管理する物品管理システムであって、前記検知材の示す色を測定する手段と、該検知材の示す色を第１物理情報に変換する手段と、前記ＩＣタグの内部に予め備えられた記録領域に対し、該第１物理情報を前記ＩＣタグアクセス手段を用いて記録する物理情報記録手段と、ＩＣタグから読み出した第２物理情報と前記第１物理情報を比較できるように表示する比較表示手段と、を備えることを特徴とする。
【００１７】
請求項２記載の発明は、請求項１記載の発明において、前記色を測定した際の第１測定時刻情報を、時刻管理手段から取得する時刻取得手段、を備え、前記物理情報記録手段が、前記ＩＣタグの内部に存在する記録領域に対し、前記第１物理情報と前記第１測定時刻情報を組み合わせを記録し、前記比較表示手段が、ＩＣタグから読み出した第２物理情報及び第２測定時刻情報の組み合わせと前記第１物理情報及び第１測定時刻情報の組み合わせを比較できるように表示する、ことを特徴とする。
【００１８】
請求項３記載の発明は、請求項１記載の発明において、前記色を測定した際の第１測定時刻情報を、時刻管理手段から取得する時刻取得手段と、前記色を測定した際の第１測定場所情報を、場所管理手段から取得する場所取得手段と、を備え、前記物理情報記録手段が、前記ＩＣタグの内部に存在する記録領域に対し、前記第１物理情報と第１時刻情報と第１測定場所情報とを組み合わせを記録し、前記比較表示手段が、ＩＣタグから読み出した第２物理情報，第２測定時刻情報，第２測定場所情報の組み合わせと前記第１物理情報，第１測定時刻情報，第１測定場所情報の組み合わせを比較できるように表示する、ことを特徴とする。
【００１９】
請求項４記載の発明は、請求項１乃至３のいずれかに記載の発明において、前記検知材が、前記物品に対して定められた物理管理条件から逸脱した場合に、色の変化を示し、該色の変化が不可逆である、ことを特徴とする。
【００２０】
請求項５記載の発明は、請求項１乃至４のいずれかに記載の発明において、前記ＩＣタグと前記検知材とが一体に形成されている、ことを特徴とする。
【００２１】
請求項６記載の発明は、物品を識別するＩＤ情報を内部に記録したＩＣタグを有し、前記ＩＣタグの内部の情報にアクセスするＩＣタグアクセス手段と、前記検知材の示す色を測定する測定手段と、を備え、該ＩＣタグと検知材が添付された物品の物理変化を管理するシステムに使用する物品管理方法であって、前記測定手段を用いて前記検知材の示す色を測定するステップと、該検知材の示す色を第１物理情報に変換するステップと、前記ＩＣタグの内部に予め備えられた記録領域に対し、該第１物理情報を前記ＩＣタグアクセス手段を用いて記録する物理情報記録ステップと、ＩＣタグから読み出した第２物理情報と前記第１物理情報を比較できるように表示する比較表示ステップと、を有することを特徴とする。
【００２２】
請求項７記載の発明は、請求項６記載の発明において、前記色を測定した際の第１時刻情報を時刻管理手段から取得する時刻取得ステップ、を有し、前記物理情報記録ステップが、前記ＩＣタグの内部に存在する記録領域に対し、前記第１物理情報と前記第１時刻情報とを組み合わせを記録し、前記比較表示ステップが、ＩＣタグから読み出した第２物理情報及び第２測定時刻情報の組み合わせと前記第１物理情報及び第１測定時刻情報の組み合わせを比較できるように表示する、ことを特徴とする。
【００２３】
請求項８記載の発明は、請求項６記載の発明において、前記色を測定した際の第１時刻情報を時刻管理手段から取得する時刻取得ステップと、前記色を測定した際の第１測定場所情報を場所管理手段から取得する場所取得ステップと、を有し、前記物理情報記録ステップが、前記ＩＣタグの内部に存在する記録領域に対し、前記第１物理情報と前記第１時刻情報と前記第１測定場所情報とを組み合わせを記録し、前記比較表示手ステップが、ＩＣタグから読み出した第２物理情報，第２測定時刻情報，第２測定場所情報の組み合わせと前記第１物理情報，第１測定時刻情報，第１測定場所情報の組み合わせを比較できるように表示する、ことを特徴とする。
【００２４】
請求項９記載の発明は、請求項６乃至８のいずれかに記載の発明において、前記検知材に、前記物品に対して定められた物理管理条件から逸脱した場合に、色の変化を示し、該色の変化が不可逆である検知材を採用する、ことを特徴とする。
【００２５】
請求項１０記載の発明は、請求項６乃至９のいずれかに記載の発明において、前記ＩＣタグと前記検知材とを一体に形成したタグを添付した物品を管理対象とする、ことを特徴とする。
【００２６】
前記請求項１，６の発明によれば、測定時に、前記ＩＣタグの内部に検知材の示す物理情報を書き込むことができる。測定した際の物理情報とＩＣタグから読み取った物理情報を表示できる
前記請求項２，７の発明によれば、前記物理情報と該物理情報を読み取った際の時刻情報とを関連付けた情報をＩＣタグに記録できる。測定した際の物理情報，測定時刻とＩＣタグから読み取った物理情報，測定時刻を表示できる。
【００２７】
前記請求項３，８の発明によれば、前記物理情報と該物理情報を読み取った際の時刻情報と該物理情報を読み取った場所の場所情報を関連付けた情報をＩＣタグに記録できる。測定した際の物理情報，測定時刻，場所とＩＣタグから読み取った物理情報，測定時刻，場所を表示できる。
【００２８】
前記請求項４，９の発明によれば、検知材の色の変化の結果を維持できる。
【００２９】
前記請求項５，１０の発明によれば、物品に前記ＩＣタグと前記検知材を同時に添付できる。
【発明の効果】
【００３０】
以上示したように請求項１，６の発明によれば、前記ＩＣタグの内部に存在する物理情報を読み出せば、測定時における物理情報を知ることが出来る。作業担当者が、測定した際の物理情報とＩＣタグから読み取った物理情報を比較できる。よって、該測定時における物品の管理状態を管理できる。
【００３１】
請求項２，７の発明によれば、測定した物理情報と時刻をＩＣタグから読み出せば、該測定時における物品の管理状態をより精緻に知ることが出来る。作業担当者が、測定した際の物理情報と測定時刻とＩＣタグから読み取った物理情報と測定時刻を比較できる。
【００３２】
請求項３，８の発明によれば、測定した物理情報と場所と時刻とをＩＣタグから読み出せば、該測定時における物品の管理状態をより精緻に知ることが出来る。作業担当者が、測定した際の物理情報，測定時刻，場所とＩＣタグから読み取った物理情報，測定時刻，場所を比較できる。
【００３３】
請求項４，９の発明によれば、前記検知材が、前記物品に対して定められた物理管理条件から逸脱した場合に、色の変化を示すことができる。また、前記色の変化が不可逆であるため、物理管理条件からの逸脱の後においても、色の変化を知ることができる。
【００３４】
請求項５，１０の発明によれば、前記ＩＣタグと前記検知材とが一体に形成されるため、特定のＩＤを持つ特定の物品について、物理情報の管理が簡便で確実にできる。
【００３５】
これらを以って物品管理サービス分野に貢献できる。
【発明を実施するための最良の形態】
【００３６】
本実施形態における物品管理システムの装置構成を図１に基づいて説明する。
【００３７】
図１における物品管理システムのシステム構成は、管理対象である物品１の物理変化を検知する検知材（物理変化を検知し変色して表す部材；別称はインジケータ）が塗布されたＩＣタグ１０１，ＩＣタグアクセス手段であってＩＣタグ１０１から情報を読取る（またはＩＣタグ１０１に情報を格納する）ＩＣタグリーダライタ（ＩＣタグへアクセスするＩＣタグアクセス手段）２，色を測定する色彩計３，ＩＣタグリーダライタ２と色彩計３が接続された汎用的な計算機（例えば、パーソナルコンピュータ）４，計算機４に格納された色と物理的な変化（例えば、温度変化，湿度変化，紫外線変化）の対応関係を示す対応表４０１，計算機４が接続されたネットワーク５，ネットワーク５に接続された物品管理センタ６，物品管理センタ６に備えられた物品データ管理手段（例えば、物品管理データベース）６０１から構成される。
【００３８】
なお、以下では、検知材として示温材、物理的な変化として温度変化をそれぞれ採用して説明する。また、示温材と検知材を区別することもあるが、以下の説明では、示温材も検知材の一種として扱う。ＩＣタグ１０１は、図示省略されているが、情報（例えば、ＩＤ情報）を格納するための記憶領域を有する記憶装置（例えば、不揮発性メモリ），無線で情報を入出力するインタフェース装置を備える。計算機４は、計算機４内で扱われる情報を格納し管理する記憶部（例えば、メモリやハードディスク装置）を備える。また、前記物品管理システムでは、ＩＣタグと前記検知材とを一体に形成したタグを用いても良い。
【００３９】
図１中の物品１に、物品１のＩＤ情報が記録されているＩＣタグ１０１が貼付してある。なお、ＩＣタグは、ＲＦＩＤ（Ｒａｄｉｏ  Ｆｒｅｑｕｅｎｃｙ  Ｉｄｅｎｔｉｆｉｃａｔｉｏｎ）、ＲＦ（Ｒａｄｉｏ  Ｆｒｅｑｕｅｎｃｙ）タグ、電子タグとも呼ばれる。図１中のＩＣタグ１０１はシート状であり、表面に検知材として示温材が塗布してあるものとする。また、剥がされないように、ＩＣタグに示温材が含まれるシールが貼付してある実施形態でも無論構わない。
【００４０】
その示温材は、温度によって異なる色を呈する材料であって、サーモクロミック材料などとも呼ばれ、日本国内においても、いくつかのメーカから市販されており、商品形態も、適用できる温度範囲も様々である。本実施形態におけるＩＣタグ１０１に塗布された示温材は、少なくとも、物品１の保管すべき温度範囲と、該温度範囲を逸脱した温度範囲とで、異なる色を呈する必要がある。
【００４１】
本実施形態において、物品１の温度が、物品１の保管すべき温度範囲（即ち、物理量的範囲、あるいは、物理管理条件）から逸脱した温度範囲に移行した場合、ＩＣタグ１０１に塗布された示温材の色は変化するが、該変化は不可逆であるものとする。すなわち、一旦、物品１の保管すべき温度範囲から逸脱した場合、その後、物品１の保管すべき温度範囲に復帰した場合でも、ＩＣタグ１０１に塗布された示温材の色は、物品１の保管すべき温度範囲を示す色に復帰しない。そのため、色の変化が不可逆な示温材は、その色の変化の結果を維持できる。
【００４２】
本実施形態では、ＩＣタグ１０１に記録されているＩＤ情報をＩＣタグリーダライタ２によって一旦読み取り、そのＩＤ情報の読み取り作業の際、ＩＣタグ１０１に塗布された示温材の色を、色彩計３によって測定する。
【００４３】
なお、色彩計の代わりに分光測色計と呼ばれる測定器を用いても無論構わない。色彩計や分光測色計は、照明光源と受光器を備え、照明光源からの光を物質に照射し反射光を測定し、該物質の色を測定する機器であり、日本国内においても、いくつかのメーカから市販されている。
【００４４】
本実施形態において、色彩計３によって測定されたＩＣタグ１０１に塗布された示温材の色に関する情報は、計算機４によって、色と温度の対応関係を示す対応表４０１を参照して、前記示温材の呈する色が示す温度に関する情報（温度情報）に変換され、ＩＣタグリーダライタ２によって読み取られたＩＤ情報、該ＩＤ情報を読み取った時刻（即ち、色を測定した（測定を開始した）際の測定時刻情報）とともにＩＤ物理データとして記録される。なお、時刻情報は、例えば、図１中の計算機４に予め備えられた時計装置を含む時刻管理手段から取得する。また、少なくとも、読み取られたＩＤ情報，温度情報などの物理的な情報を含み、それらを関連付けたデータをＩＤ物理データという。測定時刻は、ＩＣタグからＩＤを読み取った際の時刻でも良いし、色彩計で測定した際の時刻でも良い。
【００４５】
前記ＩＤ情報、時刻情報、温度情報を含むＩＤ物理データは、図１中では、ネットワーク５を介して、外部の物品管理センタ６にある物品管理データベース６０１に記録される。同時に、前記時刻情報と温度情報の組み合わせをＩＣタグリーダライタ２によってＩＣタグ１内部の記録領域に書き込む。このＩＣタグ１内部の記録領域への前記データ格納によって、もし、何らかの原因により、外部の物品管理センタ６にある物品管理データベース６０１と計算機４との間の通信が途絶えていた場合（例えば、図１中のネットワーク５と計算機４間の回線が印×で示されるように途絶えた場合）でも、最後に測定した時刻と温度情報についてはＩＣタグ１内部の記録領域に記録されていることになる。
【００４６】
なお、前記対応表４０１は、計算機４自体に備えられていてもよいし、計算機４が接続可能な外部のデータベースに保存されていてもよい。
【００４７】
ここで、物品に添付された示温材の呈する色から温度情報に変換する方法を説明する。なお、以下の説明において、図１中の符号と同じ符号のものの説明は省略する。
【００４８】
色彩計３によって色を測定する方法は、物品１に添付されたＩＣタグ１０１の示温材に光を照射し、該示温材から反射した光について、人の眼がもつ赤色，緑色，青色に対する感度に近いカラーフィルタを介して三刺激値を光電的に直読する方法である。
【００４９】
まず、読み取られた色情報である赤色，緑色，青色に対応する三刺激値は数値として計算機４にいったん記録される。計算機４は、色情報（すなわち、赤色，緑色，青色に対応する三刺激値）と温度との対応関係を示す対応曲線（または対応表）データ（例えば、対応表４０１）を有してものとする。
【００５０】
そして、読み取られた色情報である赤色，緑色，青色に対応する三刺激値の数値を、前記対応曲線（または対応表）を用いて、温度情報に変換する。
【００５１】
なお、前記対応曲線（または対応表）に記してある温度と完全に合致しない中間的な温度の値については、前記対応曲線（または対応表）に記してある前後の温度から補間することによって、より近い温度の値を得ることが出来る。
【００５２】
さらに、温度管理の必要な物品１に添付されたＩＣタグ１０１に記録されたＩＤ情報と、該物品１に添付されたＩＣタグ１０１の示温材の示す色から変換されて得られた温度情報とを関連付ける方法を以下に説明する。
【００５３】
なお、ＩＣタグリーダライタ２が前記ＩＤ情報を読み取った時点で、同時点からある一定の時間、該ＩＣタグリーダライタが該ＩＤ情報を再度読み取ったとしても、物品１は１つと数えられるものとする。また、ある一定の時間とは、該物品１の次に異なる物品が届くまでの間の時間より短い時間を設定する。
【００５４】
前記ＩＣタグリーダライタ２が前記ＩＤ情報を読み取った時点を起点にして、その後、該ＩＤ情報は計算機４に到達し記録され、次いで、該計算機４は、接続された色彩計３による該物品に添付された示温材の示す色の測定を開始させる。
【００５５】
前記色彩計３によって読み取った色情報である赤色，緑色，青色に対応する三刺激値の数値を、計算機４は温度情報に変換し、既に記録された前記ＩＤ情報と該温度情報をセットにしたデータ（即ち、ＩＤ物理データ）を生成する。
【００５６】
以上のように、温度管理の必要な物品に添付されたＩＣタグに記録されたＩＤ情報と、該物品に添付された示温材の示す色から変換されて得られた温度情報とを関連付けることができる。
【００５７】
なお、ＩＤ情報と温度情報とを関連付けたデータ（即ち、ＩＤ物理データ）に付加する情報としては、次のようなものが考えられる。
【００５８】
ＩＤ物理データに対し、ＩＤ情報を読み取った場所、該場所における作業内容や作業担当者についての情報を、図１における計算機４に記憶させ、該ＩＤ情報を読み取った場所、該場所における作業内容、作業担当者についての情報の全部あるいは一部を付加してもよい。
【００５９】
なお、ＩＤ情報を読み取った場所、該場所における作業内容についての情報を該ＩＤ物理データに付加する方法としては、例えば、図１における物品１のＩＤ情報を場所情報（例えば、ＩＣタグリーダライタ２によって読み取る場所に関する情報や示温材の示す色を測定した測定場所情報）及び該場所における作業内容に関する情報を、予め、計算機４に記憶させておき、前記ＩＤ情報を読み取った直後に、計算機４に予め備えられた場所管理手段（例えば、記憶領域に記憶された場所情報を管理する手段）などを用いて場所情報などを取得し、ＩＤ物理データに付加する方法がある。
【００６０】
また、作業担当者についての情報を該ＩＤ物理データに付加する方法としては、例えば、該作業担当者が、図１における計算機４を用いた作業を開始するにあたって、該作業担当者の名前やＩＤといった作業担当者についての情報を計算機４に入力しておく。そして、前記物品１のＩＤ情報を読み取った直後に、ＩＤ物理データに付加する方法がある。
【００６１】
例えば、計算機４に備えられ、ＩＤ情報を読み取った場所や該場所における作業内容や作業担当者についての情報を入力する手段（キーボード装置、ディスプレイ装置など）によって入力された情報（即ち、場所（場所情報）や作業内容に関する情報）を計算機４に予め備えられた記憶部に記憶させても良い。即ち、計算機４は場所管理手段を有することになる。
【００６２】
さらに、ＩＤ物理データに対し、物品がさらされた温度範囲が保管すべき温度範囲として適するか否かを前記温度情報に基づいて判定した結果を付加してもよい。例えば、物品がさらされた温度範囲が保管すべき温度範囲として適するか否かを前記温度情報に基づいて判定するプログラムを図１中の計算機４に格納し実行し、該適否に関する情報を付加してもよい。なお、物品１の保管すべき温度範囲に関する情報は、物品１に貼付されたラベル等、物品１のメーカや輸入業者等が提供する情報に含まれ、容易に得られるものとする。
【００６３】
本実施形態における処理手順１を図２に基づいて説明する。なお、図２中で図１中の符号と同じ符号のものの説明は省略する。
【００６４】
まず、作業担当者Ｕは、場所についての情報を計算機４に入力することから作業を始める（Ｍ１１，Ｓ１１）。
【００６５】
次いで、ＩＣタグリーダライタ２を物品１に貼付されたタグ１０１にかざすことによってＩＤを読み取り（Ｍ１２，Ｓ１２，Ｓ１３）、色彩計３による測定を開始し（Ｍ１３，Ｓ１４）、色情報を取得する（Ｍ１４）。
【００６６】
次いで、計算機４では、該色情報を、対応表４０１に基づいて物理情報（色彩計３から得られた測定値に基づく第１物理情報）に変換する（Ｓ１５）。なお、第１物理情報は、色彩計３から得られた測定値を直ぐに変換して得られた物理情報である。
【００６７】
そして、処理手順１では、物理情報（第１物理情報），時刻管理手段を含む時刻取得手段を使って手段取得した測定時刻情報，場所管理手段を含む場所取得手段を使って取得した場所（測定場所情報）を含むデータをＩＣタグ内部の記録領域に書き込む（Ｍ１５，Ｓ１６，Ｓ１７）。同時に、ＩＤ情報，物理情報，測定時刻情報，測定場所情報を含むＩＤ物理データを外部データベース６０１に記録する（Ｓ１８）。
【００６８】
本実施形態における処理手順２を図３に基づいて説明する。図３は、既に前回測定が行われており、今回同じ物品について測定を行う処理手順である。
【００６９】
まず、作業担当者Ｕは、場所についての情報を計算機４に入力することから作業を始める（Ｍ２１，Ｓ２１）。
【００７０】
次いで、ＩＣタグリーダライタ２を物品１に貼付されたＩＣタグ１０１にかざすことでＩＤを読み取り、同時に、前回測定の時刻、測定場所、物理情報（ＩＣタグ１０１から読み出した第２物理情報）を読み取る（Ｍ２２，Ｓ２２，Ｓ２３）。なお、前記第２物理情報は、処理手順１における第１物理情報と同じ値を有する情報であるが、ＩＣタグから読み出した物理情報として定義している（区別している）。
【００７１】
次いで、今回、色彩計３による測定を開始し、色情報を取得する（Ｍ２３，Ｍ２４，Ｓ２４）。
【００７２】
次いで、計算機４では、該色情報を、対応表に基づいて物理情報（色彩計３から得られた測定値に基づく第１物理情報（処理手順２における第１物理情報））に変換する（Ｓ２５）。
【００７３】
そして、処理手順２では、計算機４において、前回測定の測定時刻、測定場所、物理情報（第２物理情報）と今回測定の測定時刻、測定場所、物理情報（第１物理情報）を各々比較できるように表示する（Ｓ２６）。例えば、計算機４に予め備えられた表示装置に、前回測定と今回測定の測定時刻、測定場所、物理情報を並べて表示する。
【００７４】
図４は、図３に示した処理手順２において、前回測定と今回測定の測定時刻、測定場所、物理情報を比較できるように表示した例である。図４中では、符号Ｄ１１で示すものが前回測定データ、符号Ｄ１２で示すものが今回測定データである。
【００７５】
同一の物品であるため、ＩＤ情報（符号Ｄ１１１で示すＩＤ情報と符号Ｄ１２１で示すＩＤ情報）が一致している。図４中では、場所に関する情報（符号Ｄ１１３で示す場所情報と符号Ｄ１２３で示す場所情報）も同一としてあり、前回測定時刻情報Ｄ１１２「Ｔ１」から今回測定時刻情報Ｄ１２２「Ｔ２」の間に物理情報は「Ａ」（物理情報Ｄ１１４）から「Ｂ」（物理情報Ｄ１２４）に変化している。
【００７６】
例えば、物理情報が温度であれば、今回測定時刻情報Ｄ１２２「Ｔ２」においては、前回測定時刻Ｄ１１２「Ｔ１」よりも、Ｂ−Ａだけ高い温度で物品が管理されていることになる。あるいは、物理情報が紫外線被曝量であれば、前回測定時刻情報Ｄ１１２「Ｔ１」から今回測定時刻Ｄ１２２「Ｔ２」までに、Ｂ−Ａだけ被曝したことが判り、単位時間当たりの紫外線被曝量は、（Ｂ−Ａ）／（Ｔ２−Ｔ１）で求められる。このように、前回と今回の管理状態を比較でき、一元的な物品管理に役立つ。
【００７７】
以上のように本実施形態によれば、ＩＣタグと外部の物理データ管理手段の間の連絡が絶たれた場合であっても、測定した物理情報と場所と時刻とを前記ＩＣタグの内部に存在する記録領域に記録できるため、これを読み出せば、該測定時における物理情報と場所と時刻、すなわち、該測定時における物品の管理状態を知ることが出来、該測定時と今回測定時との間で連続的に物品の管理状態を把握することが出来、該測定時における物品の管理状態と今回測定時における物品の管理状態との比較に基づいて物品管理することができる。例えば、今回測定時における物品の管理状態が前回測定時における物品の管理状態に比して大きく乖離した事象が生じた場合、該事象を知り得るため、該事象に応じて適切な措置を講ずることで、適切な物品管理が可能になる。
【００７８】
以上、本発明の実施形態について説明したが、本発明は説明した実施形態に限定されるものでなく、各請求項に記載した範囲において各種の変形を行うことが可能である。
【００７９】
例えば、上述の処理手順２におけるステップＳ２６において、前回測定データと今回測定データを比較し、予め設定された条件に従って判断する物理情報判断ステップを有しても良い。即ち、図４中のＢ−Ａが特定の値以上であれば、作業担当者に対し警告手段（例えば、警告音を発したり、警告メッセージを表示する手段）を使って警告する。
【００８０】
また、ＩＤタグに情報を書き込む際に認証を行っても良い。
【図面の簡単な説明】
【００８１】
【図１】本実施形態における物品管理システムの装置構成図。
【図２】本実施形態における処理手順１を示す図。
【図３】本実施形態における処理手順２を示す図。
【図４】本実施形態における比較表示の一例を示す図。
【符号の説明】
【００８２】
１…物品
１０１…示温材が塗布されたＩＣタグ
２…ＩＣタグリーダライタ
３…色彩計
４…計算機
４０１…色と温度変化の対応関係を示す対応表
５…ネットワーク
６…物品管理センタ
６０１…物品管理データベース
Ｄ１１…前回測定データ
Ｄ１１１…ＩＤ情報
Ｄ１１２…測定時刻情報
Ｄ１１３…測定場所情報
Ｄ１１４…物理情報
Ｄ１２…今回測定データ
Ｄ１２１…ＩＤ情報
Ｄ１２２…測定時刻情報
Ｄ１２３…測定場所情報
Ｄ１２４…物理情報
Ｕ…作業担当者
【図１】
2008156097.tif 000003
【図２】
2008156097.tif 000004
【図３】
2008156097.tif 000005
【図４】
2008156097.tif 000006